(57)【特許請求の範囲】
【請求項１】
ＣＤＭＡ通信システム上の負荷を監視する方法において、
（ａ）通信システム中の音声アクティビィティの測定値を決定し、
（ｂ）周波数再使用効率の最初の値に等しい周波数再使用効率の現在の値を提供し、
（ｃ）決定された音声アクティビィティおよび周波数再使用効率の現在の値にしたがって電力決定を行い、
（ｄ）電力決定を使用して周波数再使用効率の現在の値を更新し、周波数再使用効率の新しい現在の値を提供し、
（ｅ）収束するまでステップ（ｃ）および（ｄ）を反復して、収束された周波数再使用効率値を提供し、
（ｆ）収束された周波数再使用効率値にしたがって通信システム上の負荷を決定するステップを含む方法。
【請求項２】
通信システムは複数の基地局をサービスする基地局を具備する請求項１記載の方法。
【請求項３】
ステップ（ｃ）は、
（ｉ）ｋ番目のセクタに関係する総受信電力（Ｐｔ）を決定し、
（ｉｉ）ｋ番目のセクタに関係する総受信電力（Ｐｔ）、決定された音声アクティビィティおよびｋ番目のセクタに関係する周波数再使用効率の現在の値（Ｆｋ（ｎ））にしたがって電力値（Ｐｃｄｍａ（ｎ））を計算するステップを含む請求項２記載の方法。
【請求項４】
ステップ（ｄ）は、電力値（Ｐｃｄｍａ（ｎ））とｋ番目のセクタに関係する総受信電力（Ｐｔ）を使用してｋ番目のセクタに関係する周波数再使用効率の新しい現在の値Ｆｋ（ｎ＋１）を計算するステップを含む請求項３記載の方法。
【請求項５】
周波数再使用効率の新しい現在の値Ｆｋ（ｎ＋１）は、以下の式にしたがってステップ（ｄ）において決定され、
【数１】
0004405700.tif 000011
ここで、ＮｏＷは基地局において受信された背景雑音を表す請求項４記載の方法。
【請求項６】
ステップ（ｅ）は、周波数再使用効率の新しい現在の値Ｆｋ（ｎ＋１）と周波数再使用効率の現在の値Ｆｋ（ｎ）との差が予め定められたしきい値より小さくなるまでステップ（ｃ）と（ｄ）を反復するステップを含む請求項５記載の方法。
【請求項７】
ステップ（ｅ）は、周波数再使用効率の新しい現在の値Ｆｋ（ｎ＋１）と周波数再使用効率の現在の値Ｆｋ（ｎ）が等しくなるまでステップ（ｃ）と（ｄ）を反復するステップを含む請求項６記載の方法。
【請求項８】
ステップ（ｆ）は、以下の式にしたがって通信システム上の負荷（Ｌ）を決定することを含み、
【数２】
0004405700.tif 000012
ここで、Ｆｋは収束された周波数再使用効率値であり、ｖｉはステップ（ａ）において測定された音声アクティビィティに対応し、Ｒｉは通信システムのユーザのデータレートであり、ｘｉは通信システムのリバーストラフィックチャネルの雑音電力スペクトル密度に対するビット当たりのエネルギである請求項６記載の方法。
【請求項９】
通信システムにはセクタが含まれ、ステップ（ｆ）は収束された周波数再使用効率値にしたがってセクタの負荷を決定することを含む請求項１記載の方法。
【請求項１０】
セクタ負荷にしたがって通信システムを制御するステップをさらに含む請求項９記載の方法。
【請求項１１】
ステップ（ｆ）において決定された負荷にしたがって通信システムへの新しいユーザの加入を制御するステップをさらに含む請求項１記載の方法。
【請求項１２】
ステップ（ｆ）において決定された負荷値にしたがってピーク時間アクティビィティを収集するステップをさらに含む請求項１記載の方法。
【請求項１３】
周波数再使用効率の最初の値はほぼ０．６６である請求項１記載の方法。
【請求項１４】
ＣＤＭＡ通信システム上の負荷を監視するシステムにおいて、
（ａ）通信システム中の音声アクティビィティを表す値と、
（ｂ）周波数再使用効率の最初の値に等しい周波数再使用効率の現在の値と、
（ｃ）音声アクティビィティと周波数再使用効率の現在の値にしたがって決定されたシステム電力を表す値と、
（ｄ）システム電力を表す値にしたがって周波数再使用効率の現在の値を更新することにより提供される周波数再使用効率の新しい現在の値と、
（ｅ）決定されたシステム電力と周波数再使用効率の現在の値において反復演算を実行することにより決定された収束された周波数再使用効率値と、
（ｆ）収束された周波数再使用効率値にしたがって通信システム上の負荷を決定する制御装置とを具備するシステム。
【請求項１５】
ＣＤＭＡシステム通信システム上の負荷を監視するシステムにおいて、
（ａ）通信システム中の音声アクティビィティの測定値を決定する手段と、
（ｂ）周波数再使用効率の最初の値に等しい周波数再使用効率の現在の値を提供する手段と、
（ｃ）決定された音声アクティビィティおよび周波数再使用効率の現在の値にしたがって電力決定を行う手段と、
（ｄ）電力決定を使用して周波数再使用効率の現在の値を更新し、周波数再使用効率の新しい現在の値を提供する手段と、
（ｅ）決定されたシステム電力と周波数再使用効率の現在の値において反復演算を実行することにより収束された周波数再使用効率値を提供する手段と、
（ｆ）収束された周波数再使用効率値にしたがって通信システム上の負荷を決定する手段とを具備するシステム。
【発明の詳細な説明】
【０００１】
【発明の属する技術分野】
本発明はデジタル通信に関する。特に、本発明はＣＤＭＡシステムにおける負荷を監視する新規で改良されたシステムおよび方法に関する。
【０００２】
【従来の技術】
コード分割多元接続（ＣＤＭＡ）ワイヤレス通信の分野では、ワイドバンド周波数チャネルが複数の通信装置により共有され、各通信装置は異なる疑似雑音（ＰＮ）拡散コードを使用する。典型的なＣＤＭＡワイヤレス通信システムでは、第１の周波数帯は（基地局から移動局への）フォワードチャネル通信に対して使用されるの対し、第１の周波数帯との異なる第２の周波数帯は（移動局から基地局への）リバースチャネル通信に使用される。このようなシステムの例は“衛星または地上中継器を使用するスペクトル拡散多元接続通信システム”と題する米国特許第４，９０１，３０７号に与えられており、この米国特許は１９９０年２月１３日に発行され、本発明の譲受人に譲渡され、参照によりここに組み込まれている。
【０００３】
先に説明したようなＣＤＭＡワイヤレス通信システムにおけるシステム容量を最大にするコンセプトに対する基礎は、電力制御のプロセスである。加入者ユニットの出力電力は、十分な信号強度が基地局において受信されることを保証し、干渉に対する可能性を最小にしながら、良好な品質のオーディオを維持するように制御しなければならない。ＣＤＭＡワイドバンドチャネルは各セルで再使用されることから、同じセルの他のユーザにより生じる自己干渉および他のセルにおけるユーザにより生じる干渉はシステムの容量に対して最も制限的な要因である。フェーディングおよび他のチャネル障害のために、最大容量は各ユーザに対する信号対雑音比（ＳＮＲ）が平均で“許容可能な”チャネル性能をサポートするのに必要な最小ポイントにあるときに達成される。雑音スペクトル密度は他のユーザからの干渉によりほとんど全部発生されることから、すべての信号は同じ平均電力でＣＤＭＡ受信機に到達しなければならない。移動伝搬環境では、これは移動局トランシーバのダイナミックな電力制御を提供することにより達成される。電力制御は、システム負荷、ジャミング、チャネル状態における遅いおよび速い変化、チャネルにおける突然の向上または品質劣化（シャドーイング）に対して防護する。
【０００４】
移動局送信機の電力制御は２つの構成要素、すなわち移動局による送信電力の開ループ推定および基地局によるこの推定におけるエラーの閉ループ補正からなる。開ループ電力制御では、各移動局は割り当てられたＣＤＭＡ周波数チャネル上の総受信電力を推定する。この測定値および基地局により提供される補正に基づいて、移動局送信電力は推定されたパス損失に一致し、予め定められたレベルで基地局に到達するように調整される。すべての移動局は同じプロセスを使用して、基地局に等しい平均電力で到達する。しかしながら、移動局の送受信チェーンにおける周波数差および不整合により生じる反対のフェーディングのような、フォワードおよびリバースのチャネルにおける未制御の差は移動局により推定することができない。
【０００５】
これらの残留エラーを減少させるために、各移動局は各フォワードトラフィックチャネルに挿入された低レートデータを通して基地局により提供される閉ループ電力制御情報でその送信電力を補正する。基地局は各移動局のリバースＣＤＭＡチャネル品質を監視することにより補正情報を導出し、この測定値をしきい値と比較し、結果に基づいて増加または減少のいずれかを要求する。この方法では、基地局は各リバースチャネル、したがってすべてのリバースチャネルを許容可能な性能を提供するのに必要な最小受信電力に維持する。先に説明した開ループおよび閉ループ電力制御方法を使用する通信システムの例は、“ＣＤＭＡセルラ移動電話システムにおいて送信電力を制御する方法および装置”と題する米国特許第５，０５６，１０９号に与えられており、この米国特許は本発明の譲受人に譲渡され、参照によりここに組み込まれている。
【０００６】
先に説明したようなＣＤＭＡ通信システムでは、トランシーバおよびチャネル変調器／復調器（モデム）のような、予め定められた数の無線周波数リソースが各基地局に配置される。基地局に割り当てられるリソース数は予測トラフィック負荷状態に依存する。例えば、田舎エリアのシステムは各基地局において１つの無方向性アンテナと、８つの同時性通話をサポートするのに十分なチャネルモデムのみを備える。一方、密集した都会エリアの基地局は他の基地局と共通配置され、それぞれいくつかの高い指向性アンテナと、４０以上の同時性通話を取り扱うために十分なモデムを備えている。セルサイト容量が貴重であり、許容可能な通信品質を維持しながら制限されたリソースの最も効率的な割り当てを提供するために密に監視および管理しなければならないのは、これらのさらに密集した都会エリアである。
【０００７】
セクタ／セル負荷は、セクタがサポートすることができる理論上の最大数に対するセクタにおけるの実際のユーザ数の比である。この比はセクタ／セルの受信機において測定される総干渉に比例する。セクタ／セルがサポートすることができる最大のユーザ数は、集合的な信号対雑音比（ＳＮＲ）、音声アクティビィティ、他のセルからの干渉の関数である。個々の加入者ユニットＳＮＲは、加入者ユニット速度、無線周波数伝搬環境、システム中のユーザ数に依存する。他のセルからの干渉はこれらのセル中のユーザ数、無線周波数伝搬損失およびユーザが分散している態様に依存する。容量の典型的な計算は、すべてのユーザに対する等しいＳＮＲならびに音声アクティビィティおよび他のセルからの干渉の公称値を仮定する。しかしながら、実際のシステムでは、ＳＮＲはユーザ毎に変化し、周波数再使用効率はセクタ毎に変化する。したがって、セクタまたはセルの負荷を継続的に監視する必要性が存在する。
【０００８】
セルサイト負荷状態を監視する従来の方法は、人、通常ワイヤレス通信サービスプロバイダにより雇用されているネットワークエンジニアまたは技術者が、セルからセルを移動して、特別に設計されて高価な試験装置を使用して負荷状態の読み取りを行う。ログデータは中央処理装置に戻され、後処理および解析がなされる。この方法に対するいくつかの重要な欠点はデータがリアルタイムで評価することができず、重大なエラーが基地局と測定装置との間の伝搬影響のために導入されることである。したがって、この監視方法は、将来のリソースの再割り当てのような修正的なアクションをとるために時間遅延方法でのみ使用される。サービスプロバイダが何らかのリアルタイムアクションをとって、負荷状態とシステム性能におけるそれらの影響を向上させることは不可能である。さらに、これは人が各サイトを連続的に移動することを要求し、したがって、巡回が（推定ではなく）実際のピーク利用時間と一致していたかに依存して、ピーク負荷状態および結果的なシステム性能の非連続的な“運次第”の推定値を提供する。
【０００９】
セルサイト負荷状態の他の可能性ある方法は、基地局または基地局制御装置によりログ記録された性能データにアクセスすることである。しかしながら、この方法は少ない基地局処理リソースを転用して負荷データを収集および取得することを必要とする。さらに、先に言及した非リアルタイム後処理問題を被る。この方法は人が各セルサイトを連続的に巡回してデータを取得することも要求する。
【００１０】
技術的に知られているＣＤＭＡにおいて負荷を監視する他の１つの方法は、専用チャネルを使用することである。しかしながらこの解決方法は非常に費用がかかる。その理由は専用チャネルの容量は他の何らかの目的に使用できないからである。これらの問題および不備は技術的に明らかにされ、以下に説明する方法で本発明により解決される。
【００１１】
【発明が解決しようとする課題】
したがって、ＣＤＭＡシステム中で負荷監視を実行するより良い方法を提供することが望ましく、この方法ではシステム中における他のすべての送信機から受信する、その周波数帯中の総干渉量を基地局が決定する。この方法により実行される負荷監視は、ＣＤＭＡシステムの動作および保守の重要な観点となりうる。例えば、負荷監視を使用して近づきつつあるシステム過負荷を予測することができる。負荷監視を使用してシステム負荷量を制御し、ユーザをシステムに加えるための加入方針を確立することもできる。加入方針は新しいユーザとともに、システムに既に存在しており、ハンドオフされているユーザに対しても適用することができる。その理由はいずれの種類のユーザの加入もシステム容量を越える結果となるからである。ユーザの加入を制限することに加えて、負荷監視に応答してさらなるリソースを割り当てるステップをとることができる。負荷監視を使用してＣＤＭＡシステムにおけるピーク時間アクティビィティを決定することもできる。
【００１２】
【課題を解決するための手段】
本発明は基地局と複数のユーザを有するＣＤＭＡ通信システムにおける負荷を監視する方法および装置に向けられている。通信システム中の音声アクティビィティの測定値が決定され、周波数再使用効率の最初の値に等しい周波数再使用効率の現在の値が提供される。電力決定が、決定された音声アクティビィティおよび周波数再使用効率の現在の値にしたがってなされる。周波数再使用効率の現在の値は電力決定を使用して更新され、周波数再使用効率の新しい現在の値が提供される。電力決定および周波数再使用効率の更新は収束するまで反復して繰り返され、周波数再使用効率の収束された値が提供される。通信システムにおける負荷が、収束された周波数再使用効率値にしたがって決定される。
【００１３】
１つの実施形態では、通信システム上の負荷が決定された後に、通信システムに対する新しいユーザの加入が、決定された負荷値を使用して制御され、例えば負荷がしきい値を越えるときに、新しい加入者の加入が拒否される。さらに、本発明にしたがって計算された負荷値は通信システムに関係するピーク時間アクティビィティを収集するために記憶することができる。
【００１４】
本発明の特徴、目的および効果は、同様な参照文字が全体を通して対応したものを識別している図面とともに以下の詳細な説明からさらに明らかになるであろう。
【００１５】
【発明の実施の形態】
図１を参照すると、本発明の通信システム９の概要が示されている。通信システム９はシステム負荷のリアルタイム監視および管理を提供する。通信システム９の基地局４はアンテナ２により移動局１ａ−ｄとワイヤレス通信中である。移動局１ａ−ｄは技術的によく知られているような電力制御されたＣＤＭＡセルラ電話機とすることができる。基地局４はシステム管理センター５とも通信中であり、このシステム管理センター５は基地局４内で必要とされる何らかの監視または管理機能を実行するのに必要な人員およびネットワークコンピュータを含むことができる。基地局４およびシステム管理センター５は技術的に知られている任意の方法により通信することができる。
【００１６】
システム９の通常動作において、移動局１ａ−ｄは基地局４と周期的に通信して、通話を発信し、通話を受信し、あるいは基地局４との間でさまざまなオーバーヘッドメッセージを送受信する。一日の中間のような、ピーク利用時間の間では、４つすべての移動局１ａ−ｄが基地局４と同時に通信中であるかもしれず、それによりシステム負荷およびリバースリンク上の干渉が増加する。逆に、夜の中間のような、非ピーク利用時間の間では、わずかな移動局１ａ−ｄが任意の時間において基地局４と通信中であるかもしれず、それによりシステム負荷が減少する。基地局４の容量に依存して、基地局４と同時に通信している４つの移動局１ａ−ｄよりも少ないあるいはより多い移動局があることが理解されるであろう。
【００１７】
本発明のシステムおよび方法を実行すると、アクティブＣＤＭＡ通信システムにおけるシステム負荷および周波数再使用効率を監視することができる。システム負荷についての情報を基地局制御装置、基地局、あるいは他の任意の制御装置により使用して、負荷を制御し、システムに対する加入方針を確立し、ピーク時間アクティビティを収集することができる。この情報を取得し、これらの動作を実行するために、セルサイトモデムに利用可能なトラフィックチャネルＳＮＲ情報が使用される。特に、ＣＤＭＡシステムのセクタｋにおけるリバーストラフィックチャネルｉの雑音電力スペクトル密度（Ｎｔ）に対するビット当たりのエネルギ（Ｅｂ）が使用される。この量は以下の式により与えられる。
【数３】
0004405700.tif 000002
【００１８】
ここで、ＮｏＷは熱／背景雑音を表し、Ｃｉは基地局のアンテナコネクタにおいて受信されたユーザｉからの電力であり、ｖｉは基地局が既に知っているユーザｉの平均音声アクティビィティであり、Ｎはセクタ中に同時にいるユーザの数であり、ＷはＣＤＭＡ波形の帯域幅であり、Ｒｉはユーザｉのデータレートであり、Ｆｋはセクタｋの周波数再使用効率である。
【００１９】
以下で説明するように、音声アクティビィティｖｉは、フレーム中に移動局からのトラフィック情報の送信に使用されるデータレートに基づいてＮフレームに対して計算される。例えば、典型的なＣＤＭＡシステムフレームは４つのレート（すなわち、フルレート、１／２レート、１／４レートおよび１／８レート）の内の１つを使用して基地局に送信される。このようなシステムでは、送信前に、移動局インターリーバ出力ストリームが時間ゲートされて、あるインターリーバ出力シンボルの送信が許容され、他のインターリーバ出力シンボルの送信は削除される。送信ゲートのデューティサイクルは送信データレートで変化する。送信レートが１（フルレート）のとき、送信ゲートはすべてのインターリーブ出力シンボルが送信できるようにする。送信レートが１／２のであるとき、送信ゲートはインターリーバ出力シンボルの半分が送信できるようにし、以下同様である。レート１のＮ１フレーム、レート１／２のＮ２フレーム、レート１／４のＮ３フレーム、およびレート１／８のＮ４フレームを含む所定の時間インターバルに対して、Ｎフレームに対して平均化された音声アクティビィティ係数（ｖ）は以下のように計算される。ここで、Ｎ＝Ｎ１＋Ｎ２＋Ｎ３＋Ｎ４である。
【数４】
0004405700.tif 000003
【００２０】
先に言及した周波数再使用効率Ｆｋは以下のように表すことができる。
【数５】
0004405700.tif 000004
【００２１】
ｖｉにより乗算し、ｉのすべての値に対して式（５）を合算する。
【数６】
0004405700.tif 000005
【００２２】
式（８）は以下のように書き直すことができる。
【数７】
0004405700.tif 000006
【００２３】
式（９）の左側は総受信電力に対するＣＤＭＡ電力の比を表している。この比はＣＤＭＡ通信システムの負荷のパーセンテージとして規定される。式（９）の右側において、周波数再使用効率Ｆｋは推定値である。式（９）の右側の他のすべての値は知られている。したがって、周波数再使用効率Ｆｋの値が取得されれば、通信システムの負荷のパーセンテージを計算することができる。
【００２４】
図２（ａ）および（ｂ）を参照すると、グラフィック表示１０、１２が示されている。グラフィック表示１０、１２はＣＤＭＡセクタの可能性ある負荷を示している。グラフィック表示１０により表されているＣＤＭＡセクタでは、受信電力のほぼ５０パーセントがＣＤＭＡ電力であり、総受信電力のほぼ５０パーセントが雑音（ＮｏＷ）である。グラフィック表示１２により表されているＣＤＭＡセクタでは、総受信電力のほぼ７５パーセントがＣＤＭＡ電力であり、受信電力のほぼ２５パーセントが雑音（ＮｏＷ）である。したがって、図２（ａ）、（ｂ）のセクタの負荷のパーセンテージはそれぞれ５０および７５である。
【００２５】
図３を参照すると、通信システム９内での負荷監視および周波数再使用効率決定のための本発明の通信システム制御方法５０におけるフローチャート表示が示されている。方法５０は考慮されているセクタ／セルと関係するセルサイトモデムと結合された制御装置上のソフトウェアで実現されることが好ましい。
【００２６】
通信システム制御方法５０にしたがってリバースＲＦリンク負荷を監視するとき、ブロック５２に示されているように、ＣＤＭＡ通信システムはセクタｋ中の各リバーストラフィックチャネルｉに対する音声アクティビィティｖｉを推定することができる。リバーストラフィックチャネルには移動局から基地局への電力制御情報を送信するための電力制御グループが含まれていることは当業者に知られている。各電力制御グループの終わりにおいて、移動局ｉの送信機が電力制御グループの期間中にオンまたはオフであるか否かの決定を基地局中のチャネルエレメントプロセッサによりできる。この情報を使用して式（６）に示されているようなトラフィックチャネルｉ上の音声アクティビィティを決定することができる。
【００２７】
ブロック５４に示されているように、セクタ中の各リバーストラフィックチャネルに対して、通信システム９は雑音電力スペクトル密度に対するビット当たりのエネルギｘｉ＝（Ｅｂ／Ｎｔ）ｉを推定する。構成に依存して、雑音電力スペクトル密度に対するビット当たりのエネルギｘｉ＝（Ｅｂ／Ｎｔ）ｉの平均または瞬間の推定が使用される。ＣＤＭＡ通信システムの雑音電力スペクトル密度に対するビット当たりのエネルギの比は異なる方法で決定することができる。１つの方法はＥｂ／Ｎｔの瞬間値を使用することである。他の方法はＥｂ／Ｎｔのセットポイント値を使用することに関係している。一般的に、Ｅｂ／Ｎｔの瞬間値は基地局制御装置から取得され、セットポイント値はセクタから取得される。瞬間値が使用される場合には、基地局プロセッサは式（９）を使用して瞬間負荷を計算し、負荷情報を加入制御プロセッサに送ることができる。セクタからのセットポイント値が使用される場合には、基地局制御装置は式（９）を使用して、決定されたセットポイントに対応する負荷を計算することができる。ユーザｉのリバーストラフィックチャネルにおける特定のフレームエラーレートを維持するのに必要な、雑音電力スペクトル密度に対するビット当たりのリバースリンクエネルギの値は（Ｅｂ／Ｎｔ）ｉとして表せることが理解されるであろう。
【００２８】
次に示す総受信電力はブロック５６で示されているように測定される。
【数８】
0004405700.tif 000007
【００２９】
この量は従来の基地局の自動利得制御回路からの容易に利用可能であり、あるいは技術的に知られている他の方法で測定することができる。ブロック５８に示されているように、式（８）を式１０（Ａ）ととも使用して、セクタｋのＣＤＭＡ電力が計算される。この計算は周波数再使用効率の推定された最初の値Ｆｋ（０）である現在の値を使用して式１０（Ｂ）にしたがって実行される。Ｆｋ（０）の良好な最初の値は０．６６とすることができる。
【数９】
0004405700.tif 000008
【００３０】
ブロック６０中に示されているように、周波数再使用効率が更新されて新しい現在の値が生成される。各反復中、周波数再使用効率の現在の値が更新され、周波数再使用効率の新しい現在の値が提供される。この新しい現在の値は次のように計算される。
【数１０】
0004405700.tif 000009
【００３１】
ブロック５６、５８、６０の反復は以下の式にしたがって決定ブロック６２において決定されたようにＦｋの推定値が収束するまで継続する。
【数１１】
0004405700.tif 000010
【００３２】
したがって周波数再使用効率の最後の値は決定６２にしたがって決定される。ブロック６４に示されているように、セクタ負荷は式（９）に記述されている方法の周波数再使用効率を使用して計算される。ブロック６４の演算は例えば周波数再使用効率の２つの連続した計算が計算を実行するプロセッサの精度内で同じ結果を生成したとき、あるいは周波数再使用効率の２つの連続した計算が互いの予め定められたしきい値内であるときに、実行することができる。ブロック６６に示すように、ＣＤＭＡ通信システムは例えばシステム負荷、周波数再使用効率あるいは通信システム制御方法５０を使用して得られる他の何らかの値にしたがって基地局制御装置により制御することができる。例えば、新しいユーザの通信システムへの加入はシステム負荷にしたがって制御することができる。代わりに、システム負荷は基地局におけるピーク時間アクティビィティを反映する情報を収集するために監視することができる。
【００３３】
図４を参照すると、本発明の負荷監視システムを実現するために使用される例示的なＣＤＭＡ基地局４００の構成要素のブロック図が示されている。基地局では、２つの受信機システムが使用され、そのそれぞれがダイバーシティ受信のために独立したアンテナとアナログ受信機を備えている。各受信機システムでは、信号がダイバーシティ合成プロセスを受けるまで信号は同様に処理される。破線内の構成要素は基地局と１つの移動局との間の通信に対応する構成要素に対応している。さらに図４を参照すると、第１の受信機システムはアンテナ４６０、アナログ受信機４６２、サーチャー受信機４６４、およびデジタルデータ受信機４６６、４６８から構成されている。第２の受信機システムにはアンテナ４７０、アナログ受信機４７２、サーチャー受信機４７４、およびデジタルデータ受信機４７６が含まれている。セルサイト制御プロセッサ４７８は信号処理および制御のために使用される。特に、セルサイトプロセッサ４７８は移動局との間で送受信される信号を監視し、この情報を使用して先に説明した負荷監視計算を実行する。したがって、図３のシステムはセルサイトプロセッサ４７８上のソフトウェアで実現されることが好ましい。
【００３４】
両受信システムはダイバーシティ合成およびデコーダ回路４８０に結合される。デジタルリンク４８２が使用されて、制御プロセッサ４７８の制御の下で、基地局制御装置またはデータルータとの間で信号が通信される。アンテナ４６０上で受信される信号はアナログ受信機４６２に提供され、ここで移動局アナログ受信機とともに説明したのと同様なプロセスで、信号は増幅、周波数変換、デジタル化される。アナログ受信機４６２からの出力はデジタルデータ受信機４６６、４６８およびサーチャー受信機４６４に提供される。第２の受信機システム（すなわち、アナログ受信機４７２、サーチャー受信機４７４、およびデジタルデータ受信機４７６）は第１の受信機システムと同様な方法で受信信号を処理する。デジタルデータ受信機４６６、４７６からの出力はダイバーシティ合成およびデコーダ回路４８０に提供され、この回路４８０はデコーディングアルゴリズムにしたがって信号を処理する。第１および第２の受信機システムならびにダイバーシティ合成およびデコーダ４８０の動作に関する詳細は、“ＣＤＭＡセルラ電話システムにおける通信においてソフトハンドオフを提供する方法およびシステム”と題する米国特許第５，１０１，５０１号で説明されており、この米国特許は先に組み込まれている。移動ユニットに送信するために信号はプロセッサ４７８の制御の下、送信変調器４８４に提供される。送信変調器４８４は意図された受信移動局への送信のためにデータを変調する。
【００３５】
好ましい実施形態の先の説明は当業者が本発明を作りおよび使用できるように提供されている。さらに、先に説明した実施形態に対するさまざまな修正は当業者に容易に明らかになり、ここに規定されている一般的な原理は発明能力を使用することなく他の実施形態に適用してもよい。したがって、本発明はここに示されている方法および装置に制限されることを意図しているものではなく、特許請求の範囲と矛盾しない最も広い範囲にしたがうべきである。
【図面の簡単な説明】
【図１】  図１は本発明のシステムのハイレベルな概要を示している。
【図２】  図２（ａ）および（ｂ）はＣＤＭＡ通信システムの可能性ある負荷のグラフィック表示を示している。
【図３】  図３は本発明の方法のフロー図を示している。
【図４】  図４は本発明の位置追跡システムを実現するために使用される例示的な基地局の構成要素を示しているブロック図である。
【図１】
0004405700.tif 000013
【図２】
0004405700.tif 000014
【図３】
0004405700.tif 000015
【図４】
0004405700.tif 000016